(57)【要約】      （修正有）【課題】ＵＥが、ダウンリンクにおけるデータ送信をサポートするために、アップリンクでフィードバック情報を送信する際に、アップリンク・キャリアが、基地局にフィードバック情報を効率的に送信する方法を提供する。【解決手段】アンカ・キャリア・スキームは、１または複数のダウンリンク・キャリアのチャネル品質インジケータ（ＣＱＩ）フィードバックを提供するために使用される。ＣＱＩフィードバックを伝送するために、指定されたアップリンク・キャリアが使用されることを識別するインジケーションが設定される（５０４）。ＣＱＩフィードバックを伝送するために、アップリンク・キャリアのセットからのアップリンク・キャリアが、アンカ・キャリアとして選択される（５０６）。指定されたキャリアを用いて、１または複数のダウンリンク・キャリアのために、ＣＱＩフィードバックが送信される（５０８）。【選択図】図５
2014039283.tif 000002
【特許請求の範囲】
【請求項１】
マルチキャリア・システムを用いる無線通信において適用される装置であって、
１または複数のダウンリンク・キャリアのチャネル品質インジケータ（ＣＱＩ）フィードバックを提供するために、アンカ・キャリア・スキームを用いる手段と、
前記ＣＱＩフィードバックを伝送するためのアンカ・キャリアとして、アップリンク・キャリアのセットから、アップリンク・キャリアを選択する手段と、
指定されたアップリンク・キャリアを用いて、前記１または複数のダウンリンク・キャリアのＣＱＩフィードバックを送信する手段と、
を備える装置。
【請求項２】
ダウンリンク・キャリアのサブセットのためのＣＱＩフィードバックを測定する手段をさらに備える、請求項１に記載の装置。
【請求項３】
おのおののダウンリンク・キャリアのための測定されたＣＱＩフィードバックをレポートするために、１または複数のダウンリンク・キャリアを循環する手段をさらに備える、請求項２に記載の装置。
【請求項４】
前記ダウンリンク・キャリアのサブセットのチャネル品質インジケータを決定する手段と、
最良のキャリアを識別する手段とをさらに備え、
前記最良のキャリアは、最良のＣＱＩフィードバックを持つダウンリンク・キャリアである、請求項１に記載の装置。
【請求項５】
前記最良のキャリアに関する情報を送信する手段をさらに備える、請求項４に記載の装置。
【請求項６】
前記ダウンリンク・キャリアが隣接していると判定された場合、ガード帯域を用いてＣＱＩを測定する手段をさらに備える、請求項１に記載の装置。
【請求項７】
前記ダウンリンク・キャリアが隣接していないと判定された場合、ガード帯域無しでＣＱＩを測定する手段をさらに備える、請求項１に記載の装置。
【請求項８】
前記ダウンリンク・キャリアの送信モードに基づいて、複数のキャリアのＣＱＩフィードバックをグループ化する手段をさらに備える、請求項１に記載の装置。
【請求項９】
１または複数のアップリンク・リソースを用いて、インジケーションを送信する手段をさらに備える、請求項１に記載の装置。
【請求項１０】
前記選択する手段は、１または複数の要因を用いて、前記指定されたアップリンク・キャリアを決定する手段を備える、請求項１に記載の装置。
【請求項１１】
前記最良のキャリアのＣＱＩフィードバックは、循環規則にしたがって、規則的にスケジュールされたキャリアのＣＱＩフィードバックとともに、おのおののレポーティング事例において送信される、請求項４に記載の装置。
【請求項１２】
前記ダウンリンク（ＤＬ）キャリアのＣＱＩフィードバックが、アップリンク（ＵＬ）キャリアで送信されるかを、フラグが、前記ＣＱＩフィードバックが送信されるＤＬキャリアとペアをなすＵＬキャリア、または、ペアリングに関わらず前記アンカＵＬキャリア、のうちの少なくとも１つを用いて示す、請求項１に記載の装置。
【請求項１３】
ランク・インジケータ衝突、同じキャリアにおける広帯域チャネル品質インジケータ・フィードバック、またはサブ帯域チャネル品質インジケータ（ＣＱＩ）フィードバックに少なくとも部分的に基づいて、チャネル品質インジケータ（ＣＱＩ）フィードバックをやめることをさらに備える、請求項８に記載の装置。
【請求項１４】
マルチキャリア・システムを用いる無線通信で使用される方法であって、
１または複数のダウンリンク・キャリアのチャネル品質インジケータ（ＣＱＩ）フィードバックを提供するために、アンカ・キャリア・スキームを用いることと、
指定されたアップリンク・キャリアが、前記ＣＱＩフィードバックを伝送するために使用されることを識別するインジケーションを設定することと、
前記ＣＱＩフィードバックを伝送するためのアンカ・キャリアとして、アップリンク・キャリアのセットから、アップリンク・キャリアを選択することと、
前記指定された・アップリンク・キャリアを用いて、前記１または複数のダウンリンク・キャリアのＣＱＩフィードバックを送信することと
を備える方法。
【請求項１５】
すべてのダウンリンク・キャリアのためのＣＱＩフィードバックを測定することをさらに備える、請求項１４に記載の方法。
【請求項１６】
おのおののダウンリンク・キャリアのためのＣＱＩフィードバックを測定するために、１または複数のダウンリンク・キャリアを循環することをさらに備える、請求項１５に記載の方法。
【請求項１７】
前記すべてのダウンリンク・キャリアのチャネル品質インジケータを決定することと、
最良のキャリアを識別することとをさらに備え、
前記最良のキャリアは、最良のＣＱＩフィードバックを持つダウンリンク・キャリアである、請求項１４に記載の方法。
【請求項１８】
前記最良のキャリアに関する情報を送信することをさらに備える、請求項１４に記載の方法。
【請求項１９】
前記ダウンリンク・キャリアが隣接していると判定された場合、ガード帯域を用いてＣＱＩを測定することをさらに備える、請求項１４に記載の方法。
【請求項２０】
前記ダウンリンク・キャリアが隣接していないと判定された場合、ガード帯域無しでＣＱＩを測定することをさらに備える、請求項１４に記載の方法。
【請求項２１】
前記ダウンリンク・キャリアの送信モードに基づいて、前記ＣＱＩフィードバックをグループ化することをさらに備える、請求項１４に記載の方法。
【請求項２２】
１または複数のアップリンク・リソースを用いて、前記インジケーションを送信することをさらに備える、請求項１４に記載の方法。
【請求項２３】
前記選択することは、１または複数の要因を用いて、前記指定されたアップリンク・キャリアを決定することを備える、請求項１４に記載の方法。
【請求項２４】
マルチキャリア・システムを用いる無線通信において使用される装置であって、
１または複数のダウンリンク・キャリアのチャネル品質インジケータ（ＣＱＩ）フィードバックを提供するために、アンカ・キャリア・スキームを用い、
指定されたアップリンク・キャリアが、前記ＣＱＩフィードバックを伝送するために使用されることを示すインジケーションを設定し、
前記ＣＱＩフィードバックを伝送するためのアンカ・キャリアとして、アップリンク・キャリアのセットから、アップリンク・キャリアを選択し、
前記指定されたアップリンク・キャリアを用いて、前記１または複数のダウンリンク・キャリアのＣＱＩフィードバックを送信する
ように構成され、メモリに接続された少なくとも１つのプロセッサを備える、装置。
【請求項２５】
前記少なくとも１つのプロセッサは、
前記１または複数のダウンリンク・キャリアのチャネル品質インジケータ（ＣＱＩ）フィードバックを提供するために、アンカ・キャリア・スキームを用い、
すべてのダウンリンク・キャリアのためのＣＱＩフィードバックを測定する
ように構成された、請求項２４に記載の装置。
【請求項２６】
前記少なくとも１つのプロセッサは、おのおののダウンリンク・キャリアのためのＣＱＩフィードバックを測定するために、１または複数のダウンリンク・キャリアを循環するように構成された、請求項２５に記載の装置。
【請求項２７】
コンピュータ・プログラム製品であって、
少なくとも１つのコンピュータに対して、１または複数のダウンリンク・キャリアのチャネル品質インジケータ（ＣＱＩ）フィードバックを提供するために、アンカ・キャリア・スキームを用いさせるコードと、
少なくとも１つのコンピュータに対して、指定されたアップリンク・キャリアが、前記ＣＱＩフィードバックを伝送するために使用されることを示すインジケーションを設定させるコードと、
少なくとも１つのコンピュータに対して、前記ＣＱＩフィードバックを伝送するためのアンカ・キャリアとして、アップリンク・キャリアのセットから、アップリンク・キャリアを選択させるコードと、
少なくとも１つのコンピュータに対して、前記指定されたアップリンク・キャリアを用いて、前記１または複数のダウンリンク・キャリアのＣＱＩフィードバックを送信させるコードと、
を備えるコンピュータ読取可能媒体を備える、コンピュータ・プログラム製品。
【請求項２８】
マルチキャリア・システムを用いる無線通信において使用される装置であって、
非対称の構成が使用されているかを判定する手段と、ここで、指定されたアップリンク・キャリアが、１または複数のダウンリンク・キャリアに関するチャネル状態情報を提供するために使用される、
前記非対称の構成が使用されていることを示すインジケーションを提供する手段と、
を備える装置。
【請求項２９】
前記指定されたアップリンク・キャリアを決定する手段と、
前記指定されたアップリンク・キャリアを用いて、ダウンリンク・キャリアのためのチャネル品質インジケータ（ＣＱＩ）フィードバックを提供する手段と、
最良のチャネル品質インジケータを有するダウンリンク・キャリアのＣＱＩを決定する手段と、
をさらに備える、請求項２８に記載の装置。
【請求項３０】
前記最良のチャネル品質インジケータを有するダウンリンク・キャリアのＣＱＩと、前記最良のＣＱＩを有するダウンリンク・キャリアのインデクスとを提供する手段をさらに備える、請求項２９に記載の装置。
【請求項３１】
マルチキャリア・システムのためにチャネル品質インジケータ（ＣＱＩ）フィードバックのディスパッチを有効にする方法であって、
チャネル品質インジケータ（ＣＱＩ）レポートが同じサブフレーム内で伝送されないことを保証するために、オフセットまたは周期を決定することと、
アクセス端末が電力制限されているかを確認することと、
前記確認に少なくとも部分的に基づいて、前記同じサブフレームにおいて、複数のキャリアで、チャネル品質インジケータ（ＣＱＩ）フィードバックを提供するか、または、すべてのキャリアにおけるチャネル品質インジケータ（ＣＱＩ）フィードバックをやめるか、１つのキャリアでチャネル品質インジケータ（ＣＱＩ）フィードバックを送信するか、キャリアのサブセットでチャネル品質インジケータ（ＣＱＩ）フィードバックを送信するかを確認することと、
を備える方法。
【請求項３２】
マルチキャリア・システムのためにチャネル品質インジケータ（ＣＱＩ）フィードバックのディスパッチを有効にする装置であって、
チャネル品質インジケータ（ＣＱＩ）レポートが同じサブフレーム内で伝送されないことを保証するために、オフセットまたは周期を決定する手段と、
アクセス端末が電力制限されているかを確認する手段と、
前記確認に少なくとも部分的に基づいて、前記同じサブフレームにおいて、複数のキャリアで、チャネル品質インジケータ（ＣＱＩ）フィードバックを提供するか、または、すべてのキャリアにおけるチャネル品質インジケータ（ＣＱＩ）フィードバックをやめるか、１つのキャリアでチャネル品質インジケータ（ＣＱＩ）フィードバックを送信するか、キャリアのサブセットでチャネル品質インジケータ（ＣＱＩ）フィードバックを送信するかを確認する手段と、
を備える装置。
【請求項３３】
マルチキャリア・システムのためにチャネル品質インジケータ（ＣＱＩ）フィードバックのディスパッチを有効にする装置であって、
チャネル品質インジケータ（ＣＱＩ）レポートが同じサブフレーム内で伝送されないことを保証するために、オフセットまたは周期を決定し、
アクセス端末が電力制限されているかを確認し、
前記確認に少なくとも部分的に基づいて、前記同じサブフレームにおいて、複数のキャリアで、チャネル品質インジケータ（ＣＱＩ）フィードバックを提供するか、
または、すべてのキャリアにおけるチャネル品質インジケータ（ＣＱＩ）フィードバックをやめるか、１つのキャリアでチャネル品質インジケータ（ＣＱＩ）フィードバックを送信するか、キャリアのサブセットでチャネル品質インジケータ（ＣＱＩ）フィードバックを送信するかを確認する
ように構成され、メモリに接続された少なくとも１つのプロセッサを備える、装置。
【請求項３４】
マルチキャリア・システムのためにチャネル品質インジケータ（ＣＱＩ）フィードバックの配信を有効にする方法であって、
ダウンリンク（ＤＬ）キャリアの送信モードを分析し、グループ化されうるキャリアを識別することと、
おのおののグループのためのＣＱＩフィードバックのための設定パラメータと、それぞれのグループに属するキャリアとを伝送することと、
おのおののグループからのキャリアのＣＱＩフィードバックにわたって循環することと、
対応するダウンリンク（ＤＬ）キャリアに関連付けられた送信モードに少なくとも部分的に基づいて、チャネル品質インジケータ（ＣＱＩ）フィードバックをグループ化することと、
ランク・インジケータ衝突、同じキャリアにおける広帯域チャネル品質インジケータ・フィードバックまたはサブ帯域チャネル品質インジケータ（ＣＱＩ）フィードバックに少なくとも部分的に基づいて、チャネル品質インジケータ（ＣＱＩ）フィードバックをやめることと、
を備える方法。
【請求項３５】
マルチキャリア・システムのための非周期的なレポートを容易にする方法であって、
非周期的なチャネル品質インジケータ（ＣＱＩ）フィードバックを送信するために、アップリンク（ＵＬ）許可が、イボルブド・ノードＢ（ｅＮＢ）からユーザ機器（ＵＥ）へ送信されている間、前記ＵＥをポーリングすることを備え、
前記非周期的なＣＱＩフィードバックは、物理アップリンク共有チャネル（ＰＵＳＣＨ）におけるＵＬで送信される、方法。
【請求項３６】
前記物理アップリンク共有チャネル（ＰＵＳＣＨ）が、前記非周期的なレポートを送信するために使用される場合、前記レポートは、おのおののキャリアのための追加のサブ帯域チャネル品質インジケータ（ＣＱＩ）情報およびサブ帯域事前符号化行列インジケータ（ＰＭＩ）情報を含む、請求項３５に記載の方法。
【請求項３７】
チャネル品質インジケータ（ＣＱＩ）、事前符号化行列インジケータ（ＰＭＩ）、アップリンク（ＵＬ）がフィードバックを送信するために構成されたダウンリンク（ＤＬ）のためのランク・インジケータ（ＲＩ）レポート、または、設定されたダウンリンク（ＤＬ）キャリアのサブセットを称する、アップリンク（ＵＬ）割当における非周期的な要求を求めてポーリングすることと、をさらに備える、請求項３５に記載の方法。
【請求項３８】
前記アップリンク（ＵＬ）割当における追加の情報が、前記非周期的な要求を動的にポーリングすることに関する情報を提供するために適用されるか、または、ラジオ・リソース制御シグナリングが、デフォルト動作を設定する、請求項３７に記載の方法。
【請求項３９】
無線通信装置であって、
ダウンリンク（ＤＬ）キャリアの送信モードを分析して、グループ化されうるキャリアを識別し、
おのおののグループのためのチャネル品質インジケータ（ＣＱＩ）フィードバックのための設定パラメータと、それぞれのグループに属するキャリアとを伝送し、
おのおののグループからのキャリアのＣＱＩフィードバックにわたって循環し、
対応するダウンリンク（ＤＬ）キャリアに関連付けられた送信モードに少なくとも部分的に基づいて、チャネル品質インジケータ（ＣＱＩ）フィードバックをグループ化し、
ランク  ・インジケータ衝突、同じキャリアにおける広帯域チャネル品質インジケータ・フィードバック、またはサブ帯域チャネル品質インジケータ（ＣＱＩ）フィードバックに少なくとも部分的に基づいて、チャネル品質インジケータ（ＣＱＩ）フィードバックをやめる、
ように構成されたプロセッサを備える、無線通信装置。
【請求項４０】
マルチキャリア・システムのためにチャネル品質インジケータ（ＣＱＩ）フィードバックの配信を有効にする無線通信装置であって、
ダウンリンク（ＤＬ）キャリアの送信モードを分析し、グループ化されうるキャリアを識別する手段と、
おのおののグループのためのＣＱＩフィードバックのための設定パラメータと、それぞれのグループに属するキャリアとを伝送する手段と、
おのおののグループからのキャリアのＣＱＩフィードバックにわたって循環する手段と、
対応するダウンリンク（ＤＬ）キャリアに関連付けられた送信モードに少なくとも部分的に基づいて、チャネル品質インジケータ（ＣＱＩ）フィードバックをグループ化する手段と、
ランク・インジケータ衝突、同じキャリアにおける広帯域チャネル品質インジケータ・フィードバック、またはサブ帯域チャネル品質インジケータ（ＣＱＩ）フィードバックに少なくとも部分的に基づいて、チャネル品質インジケータ（ＣＱＩ）フィードバックをやめる手段と、
を備える無線通信装置。
【発明の詳細な説明】
【相互参照】
【０００１】
本願は、「マルチキャリア・システムのためのＣＱＩフィードバック」（CQI FEEDBACK FOR MULTICARRIER SYSTEM）と題された２００９年６月１１日出願の米国仮特許出願６１／１８６，３２９号の利益を主張する。上記出願の全体は、参照によって本明細書に組み込まれる。
【技術分野】
【０００２】
本開示は、無線通信システムに関し、特に、チャネル品質インジケータ（ＣＱＩ）フィードバックの効率的な方法（単数または複数）から利益を得るマルチキャリア・システム（単数または複数）に関する。
【背景技術】
【０００３】
無線通信システムは、例えば音声、ビデオ、パケット・データ、メッセージング、ブロードキャスト等のようなさまざまな通信コンテンツを提供するために広く開発された。これら無線システムは、利用可能なシステム・リソースを共有することにより、複数のユーザをサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システム、およびシングル・キャリアＦＤＭＡ（ＳＣ−ＦＤＭＡ）システムを含む。
【０００４】
一般に、無線多元接続通信システムは、複数の無線端末のための通信を同時にサポートすることができる。おのおのの端末は、順方向リンクおよび逆方向リンクによる送信を介して、１または複数の基地局と通信することができる。順方向リンク（すなわち、ダウンリンク）は、基地局から端末への通信リンクを称し、逆方向リンク（すなわち、アップリンク）は、端末から基地局への通信リンクを称する。この通信リンクは、例えば、単一入力単一出力システム、複数入力単一出力システム、あるいは複数入力複数出力（ＭＩＭＯ）システムによって確立される。
【０００５】
無線システムは、複数のキャリアにおける動作をサポートしうる。キャリアは、通信のために使用される周波数範囲を称し、ある特性に関連付けられうる。例えば、キャリアは、同期信号を伝送するか、または、キャリアにおける動作を記述するシステム情報に関連付けられうる等である。キャリアはまた、チャネル、周波数チャネル等とも称されうる。基地局は、ダウンリンクで、１または複数のキャリアで、データをユーザ機器（ＵＥ）へ送信しうる。ＵＥは、ダウンリンクにおけるデータ送信をサポートするために、アップリンクでフィードバック情報を送信しうる。アップリンク・キャリアが、基地局にフィードバック情報を効率的に送信することが望まれうる。
【発明の概要】
【０００６】
以下は、開示された態様のうちのいくつかの態様の基本的な理解を与えるために、より単純化された概要を提供する。この概要は、広範囲な概観ではなく、重要または決定的な要素を識別することでも、そのような態様の範囲を線引きすることも意図されていない。その目的は、記載された特徴のうちのいくつかの概念を、後に表されるより詳細な記載に対する前置きとして、より簡単な形式で表すことである。
【０００７】
１または複数の態様および対応する開示によれば、さまざまな態様が、１または複数のダウンリンク・キャリアに関するチャネル品質インジケータ（ＣＱＩ）フィードバックに関して記述される。
【０００８】
さまざまな実施形態が、ここでは、チャネル品質インジケータ（ＣＱＩ）に関して記載されているが、このような実施形態は、事前符号化行列インデクス（ＰＭＩ）、ランク・インジケータ（ＲＩ）、ＣＱＩ、またはこれらの組み合わせの構成を含むことが意図されていることが認識されるべきであることが認識されるべきである。
【０００９】
さらに、ここで使用される用語であるサブセットは、セットのすべてに対する、セットの一部の範囲をカバーすることが意図されている。
【００１０】
１つの態様では、装置は、マルチキャリア・システムを用いる無線通信において適用され、この装置は、１または複数のダウンリンク・キャリアのチャネル品質インジケータ（ＣＱＩ）フィードバックを提供するために、アンカ・キャリア・スキームを用いる手段と、ＣＱＩフィードバックを伝送するためのアンカ・キャリアとして、アップリンク・キャリアのセットから、アップリンク・キャリアを選択する手段と、指定されたキャリアを用いて、１または複数のダウンリンク・キャリアのＣＱＩフィードバックを送信する手段とを備える。
【００１１】
別の態様では、マルチキャリア・システムを使用する無線通信で使用される方法は、１または複数のダウンリンク・キャリアのチャネル品質インジケータ（ＣＱＩ）フィードバックを提供するために、アンカ・キャリア・スキームを用いることと、指定されたアップリンク・キャリアが、ＣＱＩフィードバックを伝送するために使用されることを識別するインジケーションを設定することと、ＣＱＩフィードバックを伝送するためのアンカ・キャリアとして、アップリンク・キャリアのセットから、アップリンク・キャリアを選択することと、指定されたキャリアを用いて、１または複数のダウンリンク・キャリアのＣＱＩフィードバックを送信することとを備える。
【００１２】
また別の態様では、マルチキャリア・システムを用いる無線通信で使用される装置は、１または複数のダウンリンク・キャリアのチャネル品質インジケータ（ＣＱＩ）フィードバックを提供するために、アンカ・キャリア・スキームを用い、指定されたアップリンク・キャリアが、ＣＱＩフィードバックを伝送するために使用されることを示すインジケーションを設定し、ＣＱＩフィードバックを伝送するためのアンカ・キャリアとして、アップリンク・キャリアのセットから、アップリンク・キャリアを選択し、指定されたキャリアを用いて、１または複数のダウンリンク・キャリアのＣＱＩフィードバックを送信するように構成された少なくとも１つのプロセッサを備える。
【００１３】
また別の態様は、１または複数のダウンリンク・キャリアのチャネル品質インジケータ（ＣＱＩ）フィードバックを提供するために、アンカ・キャリア・スキームを用いるコードと、指定されたアップリンク・キャリアが、ＣＱＩフィードバックを伝送するために使用されることを示すインジケーションを設定するコードと、ＣＱＩフィードバックを伝送するためのアンカ・キャリアとして、アップリンク・キャリアのセットから、アップリンク・キャリアを選択するコードと、指定されたキャリアを用いて、１または複数のダウンリンク・キャリアのＣＱＩフィードバックを送信するコードとを備えるコンピュータ読取可能媒体を備えるコンピュータ・プログラム製品に関する。
【００１４】
態様では、マルチキャリア・システムを用いる無線通信において使用される装置は、非対称の構成が使用されているかを判定する手段と、ここで、指定されたアップリンク・キャリアは、１または複数のダウンリンク・キャリアに関するチャネル状態情報を提供するために使用される、非対称の構成が使用されていることを示すインジケーションを提供する手段とを備える。
【００１５】
別の態様では、マルチキャリア・システムのためにチャネル品質インジケータ（ＣＱＩ）フィードバックのディスパッチを有効にする方法は、チャネル品質インジケータ（ＣＱＩ）レポートが同じサブフレーム内で伝送されないことを保証するために、オフセットまたは周期を決定することと、アクセス端末が電力制限されているかを確認することと、この確認に少なくとも部分的に基づいて、同じサブフレームにおいて、複数のキャリアで、チャネル品質インジケータ（ＣＱＩ）フィードバックを提供するか、または、すべてのキャリアにおけるチャネル品質インジケータ（ＣＱＩ）フィードバックをやめるか、１つのキャリアでチャネル品質インジケータ（ＣＱＩ）フィードバックを送信するか、キャリアのサブセットでチャネル品質インジケータ（ＣＱＩ）フィードバックを送信するかを確認することとを備える。
【００１６】
態様では、マルチキャリア・システムのためにチャネル品質インジケータ（ＣＱＩ）フィードバックのディスパッチを有効にする装置は、チャネル品質インジケータ（ＣＱＩ）レポートが同じサブフレーム内で伝送されないことを保証するために、オフセットまたは周期を決定する手段と、アクセス端末が電力制限されているかを確認する手段と、この確認に少なくとも部分的に基づいて、同じサブフレームにおいて、複数のキャリアで、チャネル品質インジケータ（ＣＱＩ）フィードバックを提供するか、または、すべてのキャリアにおけるチャネル品質インジケータ（ＣＱＩ）フィードバックをやめるか、１つのキャリアでチャネル品質インジケータ（ＣＱＩ）フィードバックを送信するか、キャリアのサブセットでチャネル品質インジケータ（ＣＱＩ）フィードバックを送信するかを確認する手段とを備える。
【００１７】
さらに別の態様では、マルチキャリア・システムのためにチャネル品質インジケータ（ＣＱＩ）フィードバックのディスパッチを有効にする装置は、チャネル品質インジケータ（ＣＱＩ）レポートが同じサブフレーム内で伝送されないことを保証するために、オフセットまたは周期を決定し、アクセス端末が電力制限されているかを確認し、この確認に少なくとも部分的に基づいて、同じサブフレームにおいて、複数のキャリアで、チャネル品質インジケータ（ＣＱＩ）フィードバックを提供するか、または、すべてのキャリアにおけるチャネル品質インジケータ（ＣＱＩ）フィードバックをやめるか、１つのキャリアでチャネル品質インジケータ（ＣＱＩ）フィードバックを送信するか、キャリアのサブセットでチャネル品質インジケータ（ＣＱＩ）フィードバックを送信するかを確認する、ように構成された少なくとも１つのプロセッサを備える。
【００１８】
態様では、マルチキャリア・システムのためにチャネル品質インジケータ（ＣＱＩ）フィードバックの配信を有効にする方法は、ダウンリンク（ＤＬ）キャリアの送信モードを分析し、グループ化されうるキャリアを識別することと、おのおののグループのためのＣＱＩフィードバックのための設定パラメータと、それぞれのグループに属するキャリアとを伝送することと、おのおののグループからのキャリアのＣＱＩフィードバックにわたって循環することと、対応するダウンリンク（ＤＬ）キャリアに関連付けられた送信モードに少なくとも部分的に基づいて、チャネル品質インジケータ（ＣＱＩ）フィードバックをグループ化することと、ランク・インジケータ衝突、同じキャリアにおける広帯域チャネル品質インジケータ・フィードバックまたはサブ帯域チャネル品質インジケータ（ＣＱＩ）フィードバックに少なくとも部分的に基づいて、チャネル品質インジケータ（ＣＱＩ）フィードバックをやめることとを備える。
【００１９】
態様では、無線通信装置は、ダウンリンク（ＤＬ）キャリアの送信モードを分析して、グループ化されうるキャリアを識別し、おのおののグループのためのＣＱＩフィードバックのための設定パラメータと、それぞれのグループに属するキャリアとを伝送し、おのおののグループからのキャリアのＣＱＩフィードバックにわたって循環し、対応するダウンリンク（ＤＬ）キャリアに関連付けられた送信モードに少なくとも部分的に基づいて、チャネル品質インジケータ（ＣＱＩ）フィードバックをグループ化し、ランク・インジケータ衝突、同じキャリアにおける広帯域チャネル品質インジケータ・フィードバック、またはサブ帯域チャネル品質インジケータ（ＣＱＩ）フィードバックに少なくとも部分的に基づいて、チャネル品質インジケータ（ＣＱＩ）フィードバックをやめる
ように構成されたプロセッサを備える。
【００２０】
別の態様では、マルチキャリア・システムのためにチャネル品質インジケータ（ＣＱＩ）フィードバックの配信を有効にする無線通信装置は、ダウンリンク（ＤＬ）キャリアの送信モードを分析し、グループ化されうるキャリアを識別する手段と、おのおののグループのためのＣＱＩフィードバックのための設定パラメータと、それぞれのグループに属するキャリアとを伝送する手段と、おのおののグループからのキャリアのＣＱＩフィードバックにわたって循環する手段と、対応するダウンリンク（ＤＬ）キャリアに関連付けられた送信モードに少なくとも部分的に基づいて、チャネル品質インジケータ（ＣＱＩ）フィードバックをグループ化する手段と、ランク・インジケータ衝突、同じキャリアにおける広帯域チャネル品質インジケータ・フィードバック、またはサブ帯域チャネル品質インジケータ（ＣＱＩ）フィードバックに少なくとも部分的に基づいて、チャネル品質インジケータ（ＣＱＩ）フィードバックをやめる手段とを備える。
【００２１】
前述した目的および関連する目的を達成するために、１または複数の態様は、後に十分に説明され、特許請求の範囲で特に指摘される特徴を備える。以下の記述および関連図面は、ある例示的な態様をより詳細に説明し、これら態様の原理が適用されるさまざまな方式のうちの少数を示す。図面とともに考慮された場合、以下の詳細記載から、その他の利点および新規な特徴が明らかになるであろう。そして、開示された態様は、そのようなすべての態様およびそれらの均等物を含むことが意図されている。
【図面の簡単な説明】
【００２２】
本開示の特徴、特性、および利点は、同一の参照符号が全体を通じて同一物に特定している図面とともに考慮された場合、以下に記載する詳細な記載からより明らかになるだろう。
【図１】図１は、１つの実施形態にしたがう多元接続無線通信システムを例示する。
【図２】図２は、通信システムのブロック図を例示する。
【図３Ａ】図３Ａは、対称的に構成されたマルチキャリア・システムを例示する。
【図３Ｂ】図３Ｂは、非対称に構成されたマルチキャリア・システムを例示する。
【図４】図４は、マルチキャリア・システムのためにチャネル品質インジケータ（ＣＱＩ）フィードバックを提供するシステムの例を図示する。
【図５】図５は、権利主張される主題の態様にしたがって、マルチキャリア・システムのためにチャネル品質インジケータ（ＣＱＩ）フィードバックをディスパッチする方法を例示する。
【図６】図６は、権利主張される主題の態様にしたがって、マルチキャリア・システムのためにチャネル品質インジケータ（ＣＱＩ）フィードバックをディスパッチする方法を例示する。
【図７】図７は、ＬＴＥベースの無線通信環境において、マルチキャリア・システムのためにチャネル品質インジケータ（ＣＱＩ）フィードバックを提供するために利用されうる方法を例示する。
【図８】図８は、権利主張される主題の態様にしたがって、マルチキャリア・システムのためにチャネル品質インジケータ（ＣＱＩ）フィードバックをディスパッチする方法を例示する。
【発明を実施するための形態】
【００２３】
さまざまな態様が、図面を参照して記載される。以下の記載では、説明の目的のために、１または複数の態様の完全な理解を提供するために、多くの具体的な詳細が述べられる。しかしながら、これらさまざまな態様は、これら特定の詳細無しで実現されうることが明白である。他の事例では、これら態様の記載を容易にするために、周知の構成およびデバイスが、ブロック図形式で示される。
【００２４】
本明細書で使用されるように、用語「構成要素」、「モジュール」、「システム」等は、ハードウェア、ファームウェア、ハードウェアとソフトウェアとの組み合わせ、ソフトウェア、または実行中のソフトウェアの何れかであるコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、サーバ上で実行中のアプリケーションと、サーバとの両方が構成要素となりうる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。構成要素は、例えば、１または複数のデータ・パケット（例えば、シグナルによって、ローカル・システム内の別の構成要素とインタラクトする１つの構成要素からのデータ、配信システムからのデータ、および／または、他のシステムを備えたインターネットのようなネットワークを介したデータ）を有する信号にしたがってローカル処理および／または遠隔処理によって通信することができる。
【００２５】
さらに、さまざまな態様が、モバイル・デバイスに関して本明細書で記載される。モバイル・デバイスはまた、システム、加入者ユニット、加入者局、移動局、モバイル、無線端末、ノード、デバイス、遠隔局、遠隔端末、アクセス端末、ユーザ端末、端末、無線通信デバイス、無線通信装置、ユーザ・エージェント、ユーザ・デバイス、またはユーザ設備（ＵＥ）とも呼ばれ、これら機能のいくつかまたはすべてを含むことができる。モバイル・デバイスは、セルラ電話、コードレス電話、セッション開始プロトコル（ＳＩＰ）電話、スマート・フォン、無線ローカル・ループ（ＷＬＬ）局、携帯情報端末（ＰＤＡ）、ラップトップ、ハンドヘルド通信デバイス、ハンドヘルド・コンピューティング・デバイス、衛星ラジオ、無線モデム・カード、および／または、無線システムによって通信するためのその他の制御デバイスでありうる。さらに、本明細書では、さまざまな態様が、基地局に関して記載される。基地局は、無線端末と通信するために利用することができ、アクセス・ポイント、ノード、ノードＢ、ｅノードＢ、ｅ−ＮＢ、あるいは、その他のいくつかのネットワーク・エンティティで称され、これらの機能のうちのいくつかまたはすべてを含むことができる。
【００２６】
さまざまな態様または特徴が、多くのデバイス、構成要素、モジュールなどを含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２７】
「典型的である」という単語は「例、事例、あるいは実例として役立つ」ことを意味するために本明細書で使用される。本明細書で「典型的」と記載された任意の態様または設計は、必ずしも、他の態様または設計に対して好適であるとも、有利であるとも解釈される必要はない。
【００２８】
さらに、１または複数のバージョンは、開示された態様を実現するために、コンピュータを制御するソフトウェア、ファームウェア、ハードウェア、またはこれら任意の組み合わせを生成する標準的なプログラミング技術および／またはエンジニアリング技術を用いた方法、装置、または製造物品として実現されうる。本明細書で使用される用語「製造物品」（または、その代わりに、「コンピュータ・プログラム製品」）は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、カード、スティック）を含みうる。さらに、電子メールの送信または受信の際、あるいは、例えばインターネットまたはローカル・エリア・ネットワーク（ＬＡＮ）のようなネットワークにアクセスする際に使用されるようなコンピュータ読取可能電子データを搬送するために、搬送波が適用されうることが認識されるべきである。もちろん、当業者であれば、開示された態様のスコープから逸脱することなく多くの変形が、この構成とされうることを認識するだろう。
【００２９】
図２は、ＭＩＭＯシステム２００における送信機システム２１０（アクセス・ポイント、基地局、およびｅノードＢとしても知られている）および受信機システム２５０（アクセス端末、およびユーザ機器としても知られている）の実施形態のブロック図である。送信機システム２１０では、多くのデータ・ストリーム用のトラフィック・データが、データ・ソース２１２から送信（ＴＸ）データ・プロセッサ２１４に提供される。
【００３０】
実施形態では、おのおののデータ・ストリームが、それぞれの送信アンテナを介して送信される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００３１】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００３２】
すべてのデータ・ストリームの変調シンボルは、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、このシンボルが送信されるアンテナへ、ビームフォーミング重みを適用する。
【００３３】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００３４】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３５】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、そのデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００３６】
プロセッサ２７０は、上述したように、どの事前符号化行列を使用するのかを定期的に決定する。さらに、プロセッサ２７０は、行列インデクス部およびランク値部を備えた逆方向リンク・メッセージを規定することができる。
【００３７】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３８】
送信機システム２１０では、受信機システム２５０からの変調信号が、アンテナ２２４によって受信され、受信機２２２によって調整され、復調器２４０によって復調され、ＲＸデータ・プロセッサ２４２によって処理されて、受信機システム２５０によって送信された逆方向リンク・メッセージを抽出する。さらに、プロセッサ２３０は、ビームフォーミング重みを決定するためにどの事前符号化行列を使用するかを決定し、この抽出されたメッセージを処理する。
【００３９】
図３Ａは、ダウンリンク・キャリア（ＤＬ  ＣＬ１およびＤＬ  ＣＬ２）３０６、３１０とアップリンク・キャリア（ＵＬ  ＣＬ１およびＵＬ  ＣＬ２）３０８、３１２とを含む対称的な構成を持つマルチキャリア・システム３００を例示する。これらのキャリアは、基地局３０２とアクセス端末３０４との間で情報を交換するために使用される。基地局３０２およびアクセス端末３０４は、図１に示す基地局１００およびアクセス端末１１６に対応しうる。システム３００は、ダウンリンク・キャリア３０６、３１０の数が、アップリンク・キャリア３０８、３１２の数と等しく、かつ、ダウンリンク・キャリア３０６が、アップリンク・キャリア３０８とペアをなし、ダウンリンク・キャリア３１０がアップリンク・キャリア３１２とペアをなすという点で対称的である。２つのアップリンク・キャリアおよび２つのダウンリンク・キャリアしか示されていないが、システム３００は、任意の適切な数のアップリンク・キャリアおよびダウンリンク・キャリアを含むように構成されうる。
【００４０】
図３Ｂは、ダウンリンク・キャリア（ＤＬ  ＣＬ１、ＤＬ  ＣＬ２、およびＤＬ  ＣＬ３）３５６、３５８、３６０とアップリンク・キャリア（ＵＬ  ＣＬ１およびＵＬ  ＣＬ２）３６２、３６４とを含む非対称な構成を持つマルチキャリア・システム３５０を例示する。これらのキャリアは、基地局３０２とアクセス端末３０４との間で情報を交換するために使用される。このシステムは、ダウンリンク・キャリア３５６、３５８、３６０の数が、アップリンク・キャリア３６２、３６４の数と等しくないという点で非対称である。非対称なシステム構成では、ダウンリンク・キャリアの数は、アップリンク・キャリアの数と等しくなく、ダウンリンク・キャリアは必ずしもアップリンク・キャリアとペアにならない。態様では、１または複数のダウンリンク・キャリアが、（黒いアップリンク・キャリア３６２として示されアップリンク・アンカ・キャリアとしても示される）唯一のアップリンク・キャリアとペアをなす。２つのアップリンク・キャリアおよび３つのダウンリンク・キャリアしか示されていないが、システム３５０は、任意の適切な数のアップリンク・キャリアおよびダウンリンク・キャリアを含むように構成されうる。
【００４１】
態様では、非対称に構成されたマルチキャリア・システムの場合、１または複数のダウンリンク・キャリアと、１または複数のアップリンク・キャリアとが、基地局３０２とアクセス端末３０４との間で情報を通信しうる。システム３５０の動作中のさまざまな時間において、アクセス端末３０４は、ダウンリンク・キャリアのおのおののために、チャネル状態情報レポートを生成する。レポートが基地局へいつ提供または送信されるかに関するスケジューリングは、システム特有または基地局特有でありうる。これらレポートは一般に、おのおののダウンリンク・キャリアに関するチャネル品質インジケータ（ＣＱＩ）フィードバックを備えるチャネル状態情報を含む。基地局は、スケジューリング目的のために、この情報を使用しうる。態様では、アクセス端末３０４は、システムによって使用されるおのおののダウンリンク・キャリアのためにＣＱＩフィードバックを提供するために、（アンカ・キャリアとも称される）１つのアップリンク・キャリアを使用する。どのアップリンク・キャリアを利用すべきかの選択（例えば、図３のＵＬ  Ｃ１またはＵＬ  Ｃ２）は、システム設定に基づいて、静的、準静的、または動的でありうる。この判定は、例えば、システム実装、チャネル条件、負荷情報、またはアップリンク・キャリアの干渉レベルのようなさまざまな要因に基づきうる。準静的または動的な設定の場合、基地局３０２によって、アクセス端末３０４へシグナリングすることによって、または、コール・セットアップまたは初期捕捉中に、アンカ・キャリアが選択されうる。どのアップリンク・キャリアを使用するかは、ユーザ機器特有（例えば、アクセス端末機能）またはシステム特有（例えば、システムによって事前選択される）でありうる。さらに、限定することも、一般性を失うこともなく、１または複数のダウンリンク・キャリアのＣＱＩフィードバックを提供するために、追加のアップリンク・キャリアを使用することが可能であることが注目されるべきである。この非対称な構成では、アップリンク・キャリアは、ダウンリンク・キャリアとペアをなされる必要はないことに注目されたい。
【００４２】
図４は、アクセス端末またはユーザ機器４０４と連続的および／または動作的、または、突発的および／または間欠的な通信をしうるアクセス・ポイントまたは基地局４０２を含むマルチキャリア・システムのためにチャネル品質インジケータ（ＣＱＩ）フィードバックを提供するシステム４００を例示する。基地局４０２およびアクセス端末４０４はそれぞれ、図３Ａおよび図３Ｂに示す基地局３０２およびアクセス端末３０４に相当しうる。本明細書に記載された権利主張される主題のさまざまな態様によれば、アクセス端末４０４は、（例えば、図３Ｂに例示される３５６、３５８、３６０のような）ダウンリンク（ＤＬ）キャリアのチャネル品質インジケータ（ＣＱＩ）フィードバックを基地局４０２に提供または送信しうる。態様によれば、アクセス端末４０４は、おのおののダウンリンク・キャリアのチャネル状態情報（ＣＱＩ情報を含む）を決定し、（例えば、図３Ｂに例示される３６２のように）指定されたまたはアンカ・アップリンク（ＵＬ）キャリアを用いて、すべてのダウンリンク・キャリアのチャネル状態情報を提供する。アンカ・キャリアは、チャネル品質インジケータ（ＣＱＩ）フィードバックが提供される複数のダウンリンク（ＤＬ）キャリアのいずれともペアをなす必要はない。チャネル品質インジケータ（ＣＱＩ）フィードバックが伝送される複数のダウンリンク（ＤＬ）キャリアと必ずしもペアをなす必要のない、指定されたまたはアンカ・アップリンク（ＵＬ）キャリアでチャネル品質インジケータ（ＣＱＩ）フィードバックを送信することは、一般に、多対一のダウンリンク／アップリンク（ＤＬ／ＵＰ）マッピング（例えば、非対称なキャリア構成）に対応する。一方、対応するペアをなす（例えば、ダウンリンク（ＤＬ）キャリアとペアをなす）アップリンク（ＵＬ）キャリアでチャネル品質インジケータ（ＣＱＩ）フィードバックを送信することは、一般に、一対一（例えば、対称的なキャリア構成）として理解されうる。
【００４３】
非対称な構成選択肢と対称的な構成選択肢とを区別するために、アクセス端末４０４は、チャネル品質インジケータ（ＣＱＩ）フィードバックがアンカ・スキームまたは非ペア・スキームを用いて送信されているかを示すために使用されるフラグを組み込みうる。アンカ・スキームは、チャネル品質インジケータ（ＣＱＩ）フィードバックが伝送される複数のダウンリンク（ＤＬ）キャリアと必ずしもペアをなす必要のない、指定されたまたはアンカ・アップリンク（ＵＬ）キャリアを適用することを備える。ペアとされるスキームの場合、対応してペアとなされた（例えば、ダウンリンク（ＤＬ）キャリアとペアとなされた）アップリンク（ＵＬ）キャリアを用いて、チャネル品質インジケータ（ＣＱＩ）フィードバックが、ディスパッチされる。アクセス端末４０４によって生成されたフラグは、例えば、システム情報（共通）で、または、（アクセス端末またはユーザ機器（ＵＥ）毎の）ラジオ・リソース制御（ＲＲＣ）シグナリングによって伝送されうる。
【００４４】
限定することも、一般性を失うこともなく、フラグは、ロング・ターム・イボリューション・アドバンスト（ＬＴＥ−Ａ）アクセス端末またはユーザ機器（ＵＥ）に適用されうるが、レガシー・アクセス端末またはユーザ機器は一般に、ペアとされたアップリンク（ＵＬ）でダウンリンク（ＤＬ）チャネル品質インジケータ（ＣＱＩ）フィードバックを送信するので、レガシー端末またはユーザ機器に透過的でありうることが注目されるべきである。基地局４０２は、コール・セットアップまたは初期捕捉中に、アクセス端末に対して、どの選択肢（非対称−アンカ・キャリアを指定、または、対称−ペアリング）を適用するのかを指定するように要求しうることも注目されるべきである。
【００４５】
したがって、上記を考慮して、アクセス端末４０４は、チャネル品質インジケータ（ＣＱＩ）フィードバックが、対応してペアとなされたアップリンク（ＵＬ）キャリアを用いてディスパッチされる場合に利用されうる対称キャリア構成要素４０６を含みうる。権利主張される主題のこの態様によれば、対称キャリア構成要素４０６は、キャリア毎に独立したチャネル品質インジケータ（ＣＱＩ）設定を達成するために、単一のキャリア特性を確保し、さらに、レポートが同じサブフレームで発生しないか、または、最低でも衝突を最小化することを保証するために、キャリアのオフセットおよび／または周期をモニタしうる。さらに、対称キャリア構成要素４０６はまた、アクセス端末４０４が電力制限されているかをも確認しうる。アクセス端末４０４が電力制限されていないとの、対称キャリア構成要素４０６による判定は、チャネル品質インジケータ（ＣＱＩ）フィードバックが、同じサブフレームにおける複数のキャリア（ＭｘＳＣ−ＦＤＭＡ）で伝送されうることを示しうる。一方、アクセス端末４０４が電力制限されているとの判定は、チャネル品質インジケータ（ＣＱＩ）フィードバックが、すべてのキャリアからやめられ、１つのキャリアで送信され、または、キャリアのサブセットでディスパッチされることが必要であることを示すインジケーションを、対称キャリア構成要素４０６に提供しうる。
【００４６】
アクセス端末４０４はまた、必ずしも複数のダウンリンク（ＤＬ）キャリアとペアをなされる必要のない、指定されたまたはアンカ・アップリンク（ＵＬ）キャリアが、ダウンリンク・キャリアのためのチャネル品質インジケータ（ＣＱＩ）フィードバックを伝送するために利用される事例において適用されうる非対称キャリア構成要素４０８をも含みうる。指定されたまたはアンカ・アップリンク（ＵＬ）キャリアが、必ずしも、複数のダウンリンク（ＤＬ）キャリアのうちの１または複数のペアをなす必要のない場合に生じる多くの偶発事象がありうる一方、特に、非対称キャリア構成要素４０８によって、２つが取り扱われる必要がある。非対称キャリア構成要素４０８は、１より多くのダウンリンク（ＤＬ）キャリアが、１つのアップリンク（ＵＬ）キャリアをペアをなす状況に対処する必要がある。さらに、非対称キャリア構成要素４０８は、１より多くのアップリンク（ＵＬ）キャリアが、１つのダウンリンク（ＤＬ）キャリアとペアをなす状況に対処する必要がある。
【００４７】
１より多くのダウンリンク（ＤＬ）キャリアが、１つのアップリンク（ＵＬ）キャリアとペアをなす場合、非対称キャリア構成要素４０８は、対応するすべてのダウンリンク（ＤＬ）キャリアについて、チャネル品質インジケータ（ＣＱＩ）フィードバックを循環しうる。限定することなく、また、一般性を失うこともなく、異なるキャリア・チャネル品質インジケータ（ＣＱＩ）フィードバックは、上部レイヤ構成が、おのおののキャリアのために利用可能である必要がある場合、異なって設定されうることが注目されるべきである。さらに、同じチャネル品質インジケータ（ＣＱＩ）設定は一般に、上部レイヤからの設定パラメータの１つのセットを必要とし、しかも、チャネル品質インジケータ（ＣＱＩ）フィードバックは、対応するキャリアにおける送信モード（例えば、単一入力複数出力（ＳＩＭＯ）、複数入力複数出力（ＭＩＭＯ）））に依存してグループ化され、ここでは、グループ内で同じチャネル品質インジケータ（ＣＱＩ）設定が適用されうることもまた注目されるべきである。
【００４８】
さらに、非対称キャリア構成要素４０８は、ランク・インジケータ（ＲＩ）衝突、および／または、同じキャリアにおける広帯域ＣＱＩ／サブ帯域チャネル品質インジケータ（ＣＱＩ）フィードバックの場合、チャネル品質インジケータ（ＣＱＩ）フィードバックをやめる。
【００４９】
繰り返すが、限定することも、一般性を失うこともなく、チャネル品質インジケータ（ＣＱＩ）フィードバックのために、物理アップリンク制御チャネル（ＰＵＣＣＨ）チャネル・リソースにおける変化は必要ないことが認識されるべきである。したがって、チャネル品質インジケータ（ＣＱＩ）フィードバックが複数入力複数出力（ＭＩＭＯ）モードにおいて適用される場合、最大１１ビットが利用されうる。一方、チャネル品質インジケータ（ＣＱＩ）フィードバックが単一入力複数出力（ＳＩＭＯ）モードでディスパッチされる場合、フォーマットは、１１ビットを占有するように拡張されうる。これら１１ビットは、ＣＱＩフィードバック・レポートのスケジューリングを増強するために使用されうる。これは、どのダウンリンク・キャリアが最良のＣＱＩを有するかに関する情報とともに、アクセス端末４０４が、スケジュールされたダウンリンク・キャリアのＣＱＩフィードバックを提供することによって達成されうる。態様では、おのおののレポート事例について、レポートは、（例えば、循環規則にしたがって）適切なキャリアのチャネル品質インジケータ（ＣＱＩ）フィードバックのための４ビットと、最良のチャネル品質インジケータ・キャリアを持つチャネル品質インジケータ（ＣＱＩ）のための４ビットと、キャリアのインデクスのための３ビットとを適用しうる。さらに、最良のＣＱＩキャリアの最良のサブ帯域チャネル品質インジケータ（ＣＱＩ）のサブ帯域インデクスのための２ビットを含めることが可能である。アクセス端末４０４はまた、最悪のＣＱＩを持つダウンリンク・キャリアに関する情報をも提供しうることが可能である。単一入力複数出力（ＳＩＭＯ）モードにおいてチャネル品質インジケータ（ＣＱＩ）フィードバックを送信することに関連して、チャネル品質インジケータ（ＣＱＩ）レポートの頻度は、レポート周期毎に、最良のキャリア・チャネル品質インジケータ（ＣＱＩ）の追加レポートにより減少されうるので、オーバヘッドが減少されうることが注目されるべきである。
【００５０】
態様によれば、キャリア毎の広帯域レポートのために、非対称キャリア構成要素４０８では、ＣＱＩは、隣接キャリアの場合に、ガード帯域を含めうる。これらキャリアが隣接していなければ、ＣＱＩフィードバックは、ガード帯域部分をカバーしないだろう。
【００５１】
別の態様によれば、１より多くのアップリンク（ＵＬ）キャリアが、１つのダウンリンク（ＤＬ）キャリアとペアをなす場合、非対称キャリア構成要素４０８は、いくつかのアップリンク（ＵＬ）キャリアが、いくつかのユーザ機器のためにチャネル品質インジケータ（ＣＱＩ）フィードバックを伝送するように構成されない対称キャリア構成要素４０６によって利用されるものに類似したストラテジを利用しうる。
【００５２】
さらに別の態様によれば、非対称キャリア構成要素４０８は、対称キャリア構成要素４０６と同様に、アクセス端末４０４が電力制限されているか否かを確認しうる。アクセス端末４０４が電力制限されていることを非対象キャリア構成要素４０８が確認した場合、チャネル品質インジケータ（ＣＱＩ）フィードバックが、すべてのキャリアにおいてやめられる必要があるか、１つのキャリアで送信される必要があるか、キャリアのサブセットでディスパッチされる必要があるかを示すインジケーションとなりうる。
【００５３】
態様によれば、レポートの非周期的なレポーティングを提供するために、非周期的レポート構成要素４１０が利用される。周期的レポーティングは、予め決定された周期に基づいて引き起こり、レポートを基地局に提供または送信するために、物理アップリンク制御チャネル（ＰＵＣＣＨ）が使用される一方、非周期的なレポーティングは、いつでもスケジュールされうる。さらに、非周期的なレポートは、物理アップリンク共有チャネル（ＰＵＳＣＨ）によってディスパッチされる。物理アップリンク共有チャネル（ＰＵＳＣＨ）が、非周期的なレポートを送信するために使用される場合、レポートは、おのおののキャリアのための追加のサブ帯域チャネル品質インジケータ（ＣＱＩ）情報およびサブ帯域事前符号化行列インジケータ（ＰＭＩ）情報を含みうる。したがって、権利主張される主題のこの態様を有効にするために、非周期的レポート構成要素４１０は、チャネル品質インジケータ（ＣＱＩ）、事前符号化行列インジケータ（ＰＭＩ）、または、アップリンク（ＵＬ）がフィードバックを送信するように構成されたダウンリンク（ＤＬ）キャリア、または設定されたすべてのダウンリンク（ＤＬ）キャリアのためのランク・インジケータ（ＲＩ）レポートと称されうるアップリンク（ＵＰ）割当における非周期的要求を求めてポーリングしうる。この情報を動的に提供するために、アップリンク（ＵＬ）割当における追加ビットが適用されうるか、または、ラジオ・リソース制御シグナリングが、デフォルト動作を設定しうる。
【００５４】
図５乃至図８を参照して、ＬＴＥベースの無線通信環境におけるマルチキャリア・システムのためにチャネル品質インジケータ（ＣＱＩ）フィードバックを提供することに関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されない  ことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００５５】
図５を参照して、権利主張される主題の態様にしたがって、マルチキャリア・システムのためにチャネル品質インジケータ（ＣＱＩ）フィードバックを提供する方法５００が例示される。図示されるように、方法５００は、５０２で始まり、ここでは、ダウンリンク・キャリアのためのＣＱＩを提供するために、アンカ・キャリア・スキームが使用されるかに関する判定がなされうる。５０４では、アンカ・キャリア・スキームが使用されると判定された場合、ダウンリンク・キャリアのためのＣＱＩフィードバックを提供するために、指定されたアップリンク・キャリアが使用されることを示すフラグまたはその他のインジケーションが設定される。アンカ・キャリア・スキームは、非対称構成を有するマルチキャリア・システムでありうる。ここでは、ＣＱＩを提供するために、指定されたまたはアンカ・アップリンク・キャリアが使用され、指定されたまたはアンカ・キャリアが、ダウンリンク・キャリアとペアとされる。５０６では、アップリンク・キャリアのうちの少なくとも１つが、アンカ・キャリアとして指定される。この決定は、例えば、アクセス端末の電力に基づくように、さまざまな要因に基づいて動的または半静的でありうる。５０８では、ＣＱＩフィードバックを収集するために、すべてのダウンリンク・キャリアを循環した後、指定されたキャリアを用いて、１または複数のダウンリンク・キャリアのＣＱＩフィードバックが送信される。
【００５６】
図６を参照して、権利主張される主題の態様にしたがって、マルチキャリア・システムためのチャネル品質インジケータ（ＣＱＩ）フィードバックを提供する方法６００が例示される。図示するように、方法６００は、６０２で始まり、ここでは、レポートが同じサブフレームで伝送されないことを保証するか、または、少なくとも衝突を緩和する、オフセットおよび周期に関する決定がなされうる。６０４では、ユーザ機器またはアクセス端末が電力制限されているか否かに関する判定がなされうる。６０４において、ユーザ機器またはアクセス端末が電力制限されていないと判定されると、方法６００は、６０６に進み、ここでは、チャネル品質インジケータ（ＣＱＩ）フィードバックが、同じサブフレーム内の複数のキャリアに提供されうる。一方、６０４において、ユーザ機器またはアクセス端末が電力制限されていると判定された場合、方法６００は６０８に進み、ここでは、すべてのキャリアにおけるチャネル品質インジケータ（ＣＱＩ）フィードバックをやめるか、１つのキャリアでチャネル品質インジケータ（ＣＱＩ）フィードバックを送信するか、キャリアのサブセットでチャネル品質インジケータ（ＣＱＩ）フィードバックを配信するかに関する判定がなされうる。
【００５７】
図７を参照して、権利主張される主題の態様にしたがって、マルチキャリア・システムためのチャネル品質インジケータ（ＣＱＩ）フィードバックを提供するために利用されうるさらなる方法７００が例示される。方法７００は、７０２において、対応するすべてのダウンリンク（ＤＬ）キャリアのチャネル品質インジケータ（ＣＱＩ）フィードバックを循環しうる。７０４では、この方法は、異なるキャリアにおけるチャネル品質インジケータ（ＣＱＩ）フィードバックが、上部レイヤ構成が、おのおののキャリアのために利用可能である必要がある場合、異なって設定されるか否かを確認しうる。７０６では、上部レイヤからの設定パラメータのうちの１つのセットのみが必要である場合、チャネル品質インジケータ（ＣＱＩ）フィードバック設定が類似しているか否かに関する判定がなされうる。７０８では、チャネル品質インジケータ（ＣＱＩ）フィードバックが、対応するキャリアにおける送信モード（例えば、単一入力複数出力、複数入力複数出力）に依存してグループ化されうる。さらに、７１０では、チャネル品質インジケータ（ＣＱＩ）フィードバックは、ランク・インジケータ（ＲＩ）の衝突、および、同じキャリアにおける広帯域チャネル品質インジケータ（ＣＱＩ）／サブ帯域チャネル品質インジケータ（ＣＱＩ）フィードバックの場合にやめられる。
【００５８】
図８を参照して、権利主張される主題の態様にしたがって、マルチキャリア・システムためのチャネル品質インジケータ（ＣＱＩ）フィードバックを提供する方法８００が例示される。この方法は、８０２において、広帯域レポートのためのキャリアが隣接しているかを判定することによって始まる。８０４において、キャリアが隣接していると判定されると、８０８において、ガード帯域部分を含むキャリア全体が、ＣＱＩを測定するために使用される。そうではない場合、８１０において、ガード帯域部分を用いることなく、ＣＱＩが測定される。
【００５９】
多元接続システム（例えば、ＦＤＭＡ、ＯＦＤＭＡ、ＣＤＭＡ、ＴＤＭＡ等）の場合、複数の端末が、アップリンクで同時に送信しうる。このようなシステムの場合、パイロット・サブ帯域が、さまざまな端末間で共有される。おのおのの端末のパイロット・サブ帯域が、（帯域端を除く）動作帯域全体におよぶ場合、チャネル推定技術が使用されうる。各端末の周波数ダイバーシティを得るために、そのようなパイロット・サブ帯域構成が望ましいだろう。本明細書に記載された技術は、さまざまな手段によって実現される。例えば、これらの技術は、ハードウェア、ソフトウェア、あるいはそれらの組み合わせで実現されうる。ハードウェアによる実現の場合、チャネル推定のために使用される処理ユニットは、１または複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲート・アレイ（ＦＰＧＡ）、プロセッサ、コントローラ、マイクロ・コントローラ、マイクロ・プロセッサ、本明細書に記載された機能を実行するように設計されたその他の電子ユニット、または、これらの組み合わせ内に実装される。ソフトウェアを用いた場合、本明細書に記載された機能を実行するモジュールによって実現される。ソフトウェア・コードは、メモリ・ユニット内に格納され、プロセッサによって実行されうる。
【００６０】
本明細書に記載された態様は、ハードウェア、ソフトウェア、ファームウェア、あるいはこれら任意の組み合わせによって実現されうることが理解されるべきである。ソフトウェアで実現される場合、これら機能は、コンピュータ読取可能媒体に格納されるか、１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ＣＤ）、レーザ・ディスク（登録商標）、光ディスク、デジタル・バーサタイル・ディスク（ＤＶＤ）、フロッピー（登録商標）ディスク、およびブルー・レイ・ディスクを含む。これらｄｉｓｃは、レーザを用いてデータを光学的に再生する。それに対して、ｄｉｓｋは、通常、データを磁気的に再生する。上記の組み合わせもまた、コンピュータ読取可能媒体の範囲内に含まれるべきである。
【００６１】
本明細書に開示された態様に関連して記載された例示的なさまざまなロジック、論理ブロック、モジュール、および回路が、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）またはその他のプログラマブル・ロジック・デバイス、ディスクリート・ゲートまたはトランジスタ・ロジック、ディスクリート・ハードウェア構成要素、または、本明細書に記載された機能を実行するように設計されたこれら任意の組み合わせとともに実装または実行される。汎用プロセッサとしてマイクロ・プロセッサを用いることが可能であるが、代わりに、従来技術によるプロセッサ、コントローラ、マイクロ・コントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。それに加えて、少なくとも１つのプロセッサは、上述したステップおよび／または動作のうちの１または複数を実行するように動作可能な１または複数のモジュールを備えうる。
【００６２】
ソフトウェアで実現する場合、本明細書に記載された技術は、本明細書に記載された機能を実行するモジュール（例えば、手続、機能など）によって実現されうる。ソフトウェア・コードは、メモリ・ユニット内に格納され、プロセッサによって実行されうる。メモリ・ユニットは、プロセッサの内部に、またはプロセッサの外部に実装されうる。プロセッサの外部に実装される場合、当該技術分野で周知であるさまざまな手段によってプロセッサに通信可能に接続されうる。さらに、少なくとも１つのプロセッサが、本明細書に記載された機能を実行するように動作可能な１または複数のモジュールを含むことができる。
【００６３】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００などのようなラジオ技術を実現することができる。ＵＴＲＡは、広帯域ＣＤＭＡ（Ｗ−ＣＤＭＡ（登録商標））およびＣＤＭＡのその他の変形を含んでいる。さらに、ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ等のようなラジオ技術を実現する。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。それに加えて、ＣＤＭＡ２０００およびＵＭＢは、「第３世代パートナシップ計画２」（３ＧＰＰ２）と命名された機構からのドキュメントに記述されている。さらに、このような無線通信システムは、しばしばアンペア（ｕｎｐａｉｒｅｄ）な無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００６４】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。それに加えて、コンピュータ・プログラム製品は、本明細書に記載された機能をコンピュータに対して実行させるように動作可能な１または複数の命令群あるいはコードを有するコンピュータ読取可能媒体を含むことができる。
【００６５】
さらに、本明細書に開示された態様に関連して記載された方法またはアルゴリズムからなるステップおよび／または動作は、ハードウェア内に直接的に組み込まれるか、プロセッサによって実行されるソフトウェア・モジュールによって組み込まれるか、これら２つの組み合わせに組み込まれうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは、当該技術で周知のその他任意の形態の記憶媒体内に存在しうる。典型的な記憶媒体は、プロセッサに結合されており、これによって、プロセッサは、記憶媒体との間で情報を読み書きできるようになる。あるいは、この記憶媒体は、プロセッサに統合されうる。さらに、いくつかの態様では、プロセッサと記憶媒体が、ＡＳＩＣ内に存在しうる。さらに、ＡＳＩＣは、ユーザ端末に存在することができる。あるいは、プロセッサおよび記憶媒体は、ユーザ端末内のディスクリート部品として存在しうる。さらに、いくつかの態様では、方法またはアルゴリズムのステップおよび／または動作は、機械読取可能媒体および／またはコンピュータ読取可能媒体上の１または任意の組み合わせ、または、コードおよび／または命令群のセットとして存在する。これらは、コンピュータ・プログラム製品に組み込まれうる。
【００６６】
先の開示は例示的な態様について議論しているが、記載された態様、および／または、特許請求の範囲によって定義された態様のスコープから逸脱することなく、さまざまな変形および修正がなされうることが注目されるべきである。したがって、記載された態様は、特許請求の範囲のスコープ内にあるそのようなすべての変形、修正、および変更を含むことが意図される。さらに、記載された態様の要素および／または態様は、単数形で記載または権利主張されているが、単数に対する限定が明確に述べられていないのであれば、複数が考慮される。それに加えて、それ以外であると述べられていないのであれば、任意の態様のうちのすべてまたは一部が、その他任意の態様のすべてまたは一部とともに利用される。
【００６７】
「含む」という用語が、発明を実施するための形態または特許請求の範囲のうちの何れかで使用されている限り、この用語は、「備える」という用語が、請求項における遷移語として適用される場合に解釈されるように、包括的であることが意図される。さらに、詳細説明または特許請求の範囲の何れかで使用される用語「または」は、排他的な「または」ではなくて、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【図１】
2014039283.tif 000003
【図２】
2014039283.tif 000004
【図３Ａ】
2014039283.tif 000005
【図３Ｂ】
2014039283.tif 000006
【図４】
2014039283.tif 000007
【図５】
2014039283.tif 000008
【図６】
2014039283.tif 000009
【図７】
2014039283.tif 000010
【図８】
2014039283.tif 000011
【手続補正書】
【提出日】平成25年10月15日(2013.10.15)
【手続補正１】
【補正対象書類名】特許請求の範囲
【補正対象項目名】全文
【補正方法】変更
【補正の内容】
【特許請求の範囲】
【請求項１】
マルチキャリア・システムを用いる無線通信において適用される装置であって、
１または複数のダウンリンク・キャリアのチャネル品質インジケータ（ＣＱＩ）フィードバックを提供するために、アンカ・キャリア・スキームを用いる手段と、
アンカ・キャリアを用いて、前記１または複数のダウンリンク・キャリアの前記ＣＱＩフィードバックを送信する手段と、
同じキャリアにおけるサブ帯域ＣＱＩフィードバック、広帯域チャネル品質インジケータ、またはランク・インジケータ衝突に少なくとも部分的に基づいて、ＣＱＩフィードバックをやめる手段と、
を備える装置。
【請求項２】
前記１または複数のダウンリンク・キャリアのサブセットのためのＣＱＩを測定する手段をさらに備える、請求項１に記載の装置。
【請求項３】
おのおののダウンリンク・キャリアのための測定されたＣＱＩをレポートするために、前記１または複数のダウンリンク・キャリアのサブセットを循環する手段をさらに備える、請求項２に記載の装置。
【請求項４】
最良のキャリアを識別する手段とをさらに備え、
前記最良のキャリアは、最良のＣＱＩフィードバックを持つ前記１または複数のダウンリンク・キャリアのサブセットの前記ダウンリンク・キャリアである、請求項１に記載の装置。
【請求項５】
前記最良のキャリアに関する情報を送信する手段をさらに備える、請求項４に記載の装置。
【請求項６】
前記１または複数のダウンリンク・キャリアの前記ダウンリンク・キャリアが隣接していると判定された場合、ガード帯域を用いてＣＱＩを測定する手段をさらに備える、請求項１に記載の装置。
【請求項７】
前記１または複数のダウンリンク・キャリアの前記ダウンリンク・キャリアが隣接していないと判定された場合、ガード帯域無しでＣＱＩを測定する手段をさらに備える、請求項１に記載の装置。
【請求項８】
前記１または複数のダウンリンク・キャリアの前記ダウンリンク・キャリアの送信モードに基づいて、前記１または複数のダウンリンク・キャリアの複数のキャリアのＣＱＩフィードバックをグループ化する手段をさらに備える、請求項１に記載の装置。
【請求項９】
１または複数のアップリンク・リソースを用いて、インジケーションを送信する手段をさらに備える、請求項１に記載の装置。
【請求項１０】
１または複数の要因を用いて、前記アンカ・キャリアを決定する手段、をさらに備える、請求項１に記載の装置。
【請求項１１】
前記最良のキャリアのＣＱＩフィードバックは、循環規則にしたがって、規則的にスケジュールされたキャリアのＣＱＩフィードバックとともに、おのおののレポーティング事例において送信される、請求項４に記載の装置。
【請求項１２】
前記ダウンリンク（ＤＬ）キャリアのＣＱＩフィードバックが、アップリンク（ＵＬ）キャリアで送信されるかを、フラグが、前記ＣＱＩフィードバックが送信される前記ＤＬキャリアとペアをなす前記ＵＬキャリア、または、ペアリングに関わらず前記アンカＵＬキャリア、のうちの少なくとも１つを用いて示す、請求項１に記載の装置。
【請求項１３】
マルチキャリア・システムを用いる無線通信で使用される方法であって、
１または複数のダウンリンク・キャリアのチャネル品質インジケータ（ＣＱＩ）フィードバックを提供するために、アンカ・キャリア・スキームを用いることと、
アンカ・キャリアを用いて、前記１または複数のダウンリンク・キャリアのＣＱＩフィードバックを送信することと
同じキャリアにおけるサブ帯域ＣＱＩフィードバック、広帯域チャネル品質インジケータ、またはランク・インジケータ衝突に少なくとも部分的に基づいて、ＣＱＩフィードバックをやめることと、
を備える方法。
【請求項１４】
前記１または複数のダウンリンク・キャリアからのすべてのダウンリンク・キャリアのためのＣＱＩを測定することをさらに備える、請求項１３に記載の方法。
【請求項１５】
おのおののダウンリンク・キャリアのためのＣＱＩを測定するために、前記１または複数のダウンリンク・キャリアを循環することをさらに備える、請求項１４に記載の方法。
【請求項１６】
前記１または複数のダウンリンク・キャリアからの前記すべてのダウンリンク・キャリアのＣＱＩを決定することと、
最良のキャリアを識別することとをさらに備え、
前記最良のキャリアは、最良のＣＱＩフィードバックを持つ前記１または複数のダウンリンク・キャリアからの前記ダウンリンク・キャリアである、請求項１３に記載の方法。
【請求項１７】
前記最良のキャリアに関する情報を送信することをさらに備える、請求項１６に記載の方法。
【請求項１８】
前記１または複数のダウンリンク・キャリアからの前記ダウンリンク・キャリアが隣接していると判定された場合、ガード帯域を用いてＣＱＩを測定することをさらに備える、請求項１３に記載の方法。
【請求項１９】
前記１または複数のダウンリンク・キャリアからの前記ダウンリンク・キャリアが隣接していないと判定された場合、ガード帯域無しでＣＱＩを測定することをさらに備える、請求項１３に記載の方法。
【請求項２０】
前記１または複数のダウンリンク・キャリアからの前記ダウンリンク・キャリアの送信モードに基づいて、前記ＣＱＩフィードバックをグループ化することをさらに備える、請求項１３に記載の方法。
【請求項２１】
１または複数のアップリンク・リソースを用いて、インジケーションを送信することをさらに備え、前記インジケーションは、前記アンカ・キャリアが前記ＣＱＩフィードバックを伝達するために使用されるということを識別する、請求項１３に記載の方法。
【請求項２２】
１または複数の要因を用いて、前記アンカ・キャリアを決定することをさらに備える、請求項１３に記載の方法。
【請求項２３】
マルチキャリア・システムを用いる無線通信において使用される装置であって、
１または複数のダウンリンク・キャリアのチャネル品質インジケータ（ＣＱＩ）フィードバックを提供するために、アンカ・キャリア・スキームを用い、
アンカ・キャリアを用いて、前記１または複数のダウンリンク・キャリアのＣＱＩフィードバックを送信し、
同じキャリアにおけるサブ帯域ＣＱＩフィードバック、広帯域チャネル品質インジケータ、またはランク・インジケータ衝突に少なくとも部分的に基づいて、ＣＱＩフィードバックをやめる
ように構成され、メモリに接続された少なくとも１つのプロセッサを備える、装置。
【請求項２４】
前記少なくとも１つのプロセッサは、
前記１または複数のダウンリンク・キャリアのチャネル品質インジケータ（ＣＱＩ）フィードバックを提供するために、アンカ・キャリア・スキームを用い、
前記１または複数のダウンリンク・キャリアからのすべてのダウンリンク・キャリアのためのＣＱＩを測定する
ように構成された、請求項２３に記載の装置。
【請求項２５】
前記少なくとも１つのプロセッサは、おのおののダウンリンク・キャリアのためのＣＱＩを測定するために、１または複数のダウンリンク・キャリアを循環するように構成された、請求項２４に記載の装置。
【請求項２６】
少なくとも１つのコンピュータに対して、１または複数のダウンリンク・キャリアのチャネル品質インジケータ（ＣＱＩ）フィードバックを提供するために、アンカ・キャリア・スキームを用いさせるコードと、
少なくとも１つのコンピュータに対して、アンカ・キャリアを用いて、前記１または複数のダウンリンク・キャリアの前記ＣＱＩフィードバックを送信させるコードと、
少なくとも１つのコンピュータに対して、同じキャリアにおけるサブ帯域ＣＱＩフィードバック、広帯域チャネル品質インジケータ、またはランク・インジケータ衝突に少なくとも部分的に基づいて、ＣＱＩフィードバックをやめさせるコードと、
を記録したコンピュータ読取可能な記録媒体。
【手続補正２】
【補正対象書類名】明細書
【補正対象項目名】００６７
【補正方法】変更
【補正の内容】
【００６７】
「含む」という用語が、発明を実施するための形態または特許請求の範囲のうちの何れかで使用されている限り、この用語は、「備える」という用語が、請求項における遷移語として適用される場合に解釈されるように、包括的であることが意図される。さらに、詳細説明または特許請求の範囲の何れかで使用される用語「または」は、排他的な「または」ではなくて、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
以下に、本件出願当初の特許請求の範囲を付記する。
［Ｃ１］
マルチキャリア・システムを用いる無線通信において適用される装置であって、
１または複数のダウンリンク・キャリアのチャネル品質インジケータ（ＣＱＩ）フィードバックを提供するために、アンカ・キャリア・スキームを用いる手段と、
前記ＣＱＩフィードバックを伝送するためのアンカ・キャリアとして、アップリンク・キャリアのセットから、アップリンク・キャリアを選択する手段と、
指定されたアップリンク・キャリアを用いて、前記１または複数のダウンリンク・キャリアのＣＱＩフィードバックを送信する手段と、
を備える装置。
［Ｃ２］
ダウンリンク・キャリアのサブセットのためのＣＱＩフィードバックを測定する手段をさらに備える、［Ｃ１］に記載の装置。
［Ｃ３］
おのおののダウンリンク・キャリアのための測定されたＣＱＩフィードバックをレポートするために、１または複数のダウンリンク・キャリアを循環する手段をさらに備える、［Ｃ２］に記載の装置。
［Ｃ４］
前記ダウンリンク・キャリアのサブセットのチャネル品質インジケータを決定する手段と、
最良のキャリアを識別する手段とをさらに備え、
前記最良のキャリアは、最良のＣＱＩフィードバックを持つダウンリンク・キャリアである、［Ｃ１］に記載の装置。
［Ｃ５］
前記最良のキャリアに関する情報を送信する手段をさらに備える、［Ｃ４］に記載の装置。
［Ｃ６］
前記ダウンリンク・キャリアが隣接していると判定された場合、ガード帯域を用いてＣＱＩを測定する手段をさらに備える、［Ｃ１］に記載の装置。
［Ｃ７］
前記ダウンリンク・キャリアが隣接していないと判定された場合、ガード帯域無しでＣＱＩを測定する手段をさらに備える、［Ｃ１］に記載の装置。
［Ｃ８］
前記ダウンリンク・キャリアの送信モードに基づいて、複数のキャリアのＣＱＩフィードバックをグループ化する手段をさらに備える、［Ｃ１］に記載の装置。
［Ｃ９］
１または複数のアップリンク・リソースを用いて、インジケーションを送信する手段をさらに備える、［Ｃ１］に記載の装置。
［Ｃ１０］
前記選択する手段は、１または複数の要因を用いて、前記指定されたアップリンク・キャリアを決定する手段を備える、［Ｃ１］に記載の装置。
［Ｃ１１］
前記最良のキャリアのＣＱＩフィードバックは、循環規則にしたがって、規則的にスケジュールされたキャリアのＣＱＩフィードバックとともに、おのおののレポーティング事例において送信される、［Ｃ４］に記載の装置。
［Ｃ１２］
前記ダウンリンク（ＤＬ）キャリアのＣＱＩフィードバックが、アップリンク（ＵＬ）キャリアで送信されるかを、フラグが、前記ＣＱＩフィードバックが送信されるＤＬキャリアとペアをなすＵＬキャリア、または、ペアリングに関わらず前記アンカＵＬキャリア、のうちの少なくとも１つを用いて示す、［Ｃ１］に記載の装置。
［Ｃ１３］
ランク・インジケータ衝突、同じキャリアにおける広帯域チャネル品質インジケータ・フィードバック、またはサブ帯域チャネル品質インジケータ（ＣＱＩ）フィードバックに少なくとも部分的に基づいて、チャネル品質インジケータ（ＣＱＩ）フィードバックをやめることをさらに備える、［Ｃ８］に記載の装置。
［Ｃ１４］
マルチキャリア・システムを用いる無線通信で使用される方法であって、
１または複数のダウンリンク・キャリアのチャネル品質インジケータ（ＣＱＩ）フィードバックを提供するために、アンカ・キャリア・スキームを用いることと、
指定されたアップリンク・キャリアが、前記ＣＱＩフィードバックを伝送するために使用されることを識別するインジケーションを設定することと、
前記ＣＱＩフィードバックを伝送するためのアンカ・キャリアとして、アップリンク・キャリアのセットから、アップリンク・キャリアを選択することと、
前記指定された・アップリンク・キャリアを用いて、前記１または複数のダウンリンク・キャリアのＣＱＩフィードバックを送信することと
を備える方法。
［Ｃ１５］
すべてのダウンリンク・キャリアのためのＣＱＩフィードバックを測定することをさらに備える、［Ｃ１４］に記載の方法。
［Ｃ１６］
おのおののダウンリンク・キャリアのためのＣＱＩフィードバックを測定するために、１または複数のダウンリンク・キャリアを循環することをさらに備える、［Ｃ１５］に記載の方法。
［Ｃ１７］
前記すべてのダウンリンク・キャリアのチャネル品質インジケータを決定することと、
最良のキャリアを識別することとをさらに備え、
前記最良のキャリアは、最良のＣＱＩフィードバックを持つダウンリンク・キャリアである、［Ｃ１４］に記載の方法。
［Ｃ１８］
前記最良のキャリアに関する情報を送信することをさらに備える、［Ｃ１４］に記載の方法。
［Ｃ１９］
前記ダウンリンク・キャリアが隣接していると判定された場合、ガード帯域を用いてＣＱＩを測定することをさらに備える、［Ｃ１４］に記載の方法。
［Ｃ２０］
前記ダウンリンク・キャリアが隣接していないと判定された場合、ガード帯域無しでＣＱＩを測定することをさらに備える、［Ｃ１４］に記載の方法。
［Ｃ２１］
前記ダウンリンク・キャリアの送信モードに基づいて、前記ＣＱＩフィードバックをグループ化することをさらに備える、［Ｃ１４］に記載の方法。
［Ｃ２２］
１または複数のアップリンク・リソースを用いて、前記インジケーションを送信することをさらに備える、［Ｃ１４］に記載の方法。
［Ｃ２３］
前記選択することは、１または複数の要因を用いて、前記指定されたアップリンク・キャリアを決定することを備える、［Ｃ１４］に記載の方法。
［Ｃ２４］
マルチキャリア・システムを用いる無線通信において使用される装置であって、
１または複数のダウンリンク・キャリアのチャネル品質インジケータ（ＣＱＩ）フィードバックを提供するために、アンカ・キャリア・スキームを用い、
指定されたアップリンク・キャリアが、前記ＣＱＩフィードバックを伝送するために使用されることを示すインジケーションを設定し、
前記ＣＱＩフィードバックを伝送するためのアンカ・キャリアとして、アップリンク・キャリアのセットから、アップリンク・キャリアを選択し、
前記指定されたアップリンク・キャリアを用いて、前記１または複数のダウンリンク・キャリアのＣＱＩフィードバックを送信する
ように構成され、メモリに接続された少なくとも１つのプロセッサを備える、装置。
［Ｃ２５］
前記少なくとも１つのプロセッサは、
前記１または複数のダウンリンク・キャリアのチャネル品質インジケータ（ＣＱＩ）フィードバックを提供するために、アンカ・キャリア・スキームを用い、
すべてのダウンリンク・キャリアのためのＣＱＩフィードバックを測定する
ように構成された、［Ｃ２４］に記載の装置。
［Ｃ２６］
前記少なくとも１つのプロセッサは、おのおののダウンリンク・キャリアのためのＣＱＩフィードバックを測定するために、１または複数のダウンリンク・キャリアを循環するように構成された、［Ｃ２５］に記載の装置。
［Ｃ２７］
コンピュータ・プログラム製品であって、
少なくとも１つのコンピュータに対して、１または複数のダウンリンク・キャリアのチャネル品質インジケータ（ＣＱＩ）フィードバックを提供するために、アンカ・キャリア・スキームを用いさせるコードと、
少なくとも１つのコンピュータに対して、指定されたアップリンク・キャリアが、前記ＣＱＩフィードバックを伝送するために使用されることを示すインジケーションを設定させるコードと、
少なくとも１つのコンピュータに対して、前記ＣＱＩフィードバックを伝送するためのアンカ・キャリアとして、アップリンク・キャリアのセットから、アップリンク・キャリアを選択させるコードと、
少なくとも１つのコンピュータに対して、前記指定されたアップリンク・キャリアを用いて、前記１または複数のダウンリンク・キャリアのＣＱＩフィードバックを送信させるコードと、
を備えるコンピュータ読取可能媒体を備える、コンピュータ・プログラム製品。
［Ｃ２８］
マルチキャリア・システムを用いる無線通信において使用される装置であって、
非対称の構成が使用されているかを判定する手段と、ここで、指定されたアップリンク・キャリアが、１または複数のダウンリンク・キャリアに関するチャネル状態情報を提供するために使用される、
前記非対称の構成が使用されていることを示すインジケーションを提供する手段と、
を備える装置。
［Ｃ２９］
前記指定されたアップリンク・キャリアを決定する手段と、
前記指定されたアップリンク・キャリアを用いて、ダウンリンク・キャリアのためのチャネル品質インジケータ（ＣＱＩ）フィードバックを提供する手段と、
最良のチャネル品質インジケータを有するダウンリンク・キャリアのＣＱＩを決定する手段と、
をさらに備える、［Ｃ２８］に記載の装置。
［Ｃ３０］
前記最良のチャネル品質インジケータを有するダウンリンク・キャリアのＣＱＩと、前記最良のＣＱＩを有するダウンリンク・キャリアのインデクスとを提供する手段をさらに備える、［Ｃ２９］に記載の装置。
［Ｃ３１］
マルチキャリア・システムのためにチャネル品質インジケータ（ＣＱＩ）フィードバックのディスパッチを有効にする方法であって、
チャネル品質インジケータ（ＣＱＩ）レポートが同じサブフレーム内で伝送されないことを保証するために、オフセットまたは周期を決定することと、
アクセス端末が電力制限されているかを確認することと、
前記確認に少なくとも部分的に基づいて、前記同じサブフレームにおいて、複数のキャリアで、チャネル品質インジケータ（ＣＱＩ）フィードバックを提供するか、または、すべてのキャリアにおけるチャネル品質インジケータ（ＣＱＩ）フィードバックをやめるか、１つのキャリアでチャネル品質インジケータ（ＣＱＩ）フィードバックを送信するか、キャリアのサブセットでチャネル品質インジケータ（ＣＱＩ）フィードバックを送信するかを確認することと、
を備える方法。
［Ｃ３２］
マルチキャリア・システムのためにチャネル品質インジケータ（ＣＱＩ）フィードバックのディスパッチを有効にする装置であって、
チャネル品質インジケータ（ＣＱＩ）レポートが同じサブフレーム内で伝送されないことを保証するために、オフセットまたは周期を決定する手段と、
アクセス端末が電力制限されているかを確認する手段と、
前記確認に少なくとも部分的に基づいて、前記同じサブフレームにおいて、複数のキャリアで、チャネル品質インジケータ（ＣＱＩ）フィードバックを提供するか、または、すべてのキャリアにおけるチャネル品質インジケータ（ＣＱＩ）フィードバックをやめるか、１つのキャリアでチャネル品質インジケータ（ＣＱＩ）フィードバックを送信するか、キャリアのサブセットでチャネル品質インジケータ（ＣＱＩ）フィードバックを送信するかを確認する手段と、
を備える装置。
［Ｃ３３］
マルチキャリア・システムのためにチャネル品質インジケータ（ＣＱＩ）フィードバックのディスパッチを有効にする装置であって、
チャネル品質インジケータ（ＣＱＩ）レポートが同じサブフレーム内で伝送されないことを保証するために、オフセットまたは周期を決定し、
アクセス端末が電力制限されているかを確認し、
前記確認に少なくとも部分的に基づいて、前記同じサブフレームにおいて、複数のキャリアで、チャネル品質インジケータ（ＣＱＩ）フィードバックを提供するか、
または、すべてのキャリアにおけるチャネル品質インジケータ（ＣＱＩ）フィードバックをやめるか、１つのキャリアでチャネル品質インジケータ（ＣＱＩ）フィードバックを送信するか、キャリアのサブセットでチャネル品質インジケータ（ＣＱＩ）フィードバックを送信するかを確認する
ように構成され、メモリに接続された少なくとも１つのプロセッサを備える、装置。
［Ｃ３４］
マルチキャリア・システムのためにチャネル品質インジケータ（ＣＱＩ）フィードバックの配信を有効にする方法であって、
ダウンリンク（ＤＬ）キャリアの送信モードを分析し、グループ化されうるキャリアを識別することと、
おのおののグループのためのＣＱＩフィードバックのための設定パラメータと、それぞれのグループに属するキャリアとを伝送することと、
おのおののグループからのキャリアのＣＱＩフィードバックにわたって循環することと、
対応するダウンリンク（ＤＬ）キャリアに関連付けられた送信モードに少なくとも部分的に基づいて、チャネル品質インジケータ（ＣＱＩ）フィードバックをグループ化することと、
ランク・インジケータ衝突、同じキャリアにおける広帯域チャネル品質インジケータ・フィードバックまたはサブ帯域チャネル品質インジケータ（ＣＱＩ）フィードバックに少なくとも部分的に基づいて、チャネル品質インジケータ（ＣＱＩ）フィードバックをやめることと、
を備える方法。
［Ｃ３５］
マルチキャリア・システムのための非周期的なレポートを容易にする方法であって、
非周期的なチャネル品質インジケータ（ＣＱＩ）フィードバックを送信するために、アップリンク（ＵＬ）許可が、イボルブド・ノードＢ（ｅＮＢ）からユーザ機器（ＵＥ）へ送信されている間、前記ＵＥをポーリングすることを備え、
前記非周期的なＣＱＩフィードバックは、物理アップリンク共有チャネル（ＰＵＳＣＨ）におけるＵＬで送信される、方法。
［Ｃ３６］
前記物理アップリンク共有チャネル（ＰＵＳＣＨ）が、前記非周期的なレポートを送信するために使用される場合、前記レポートは、おのおののキャリアのための追加のサブ帯域チャネル品質インジケータ（ＣＱＩ）情報およびサブ帯域事前符号化行列インジケータ（ＰＭＩ）情報を含む、［Ｃ３５］に記載の方法。
［Ｃ３７］
チャネル品質インジケータ（ＣＱＩ）、事前符号化行列インジケータ（ＰＭＩ）、アップリンク（ＵＬ）がフィードバックを送信するために構成されたダウンリンク（ＤＬ）のためのランク・インジケータ（ＲＩ）レポート、または、設定されたダウンリンク（ＤＬ）キャリアのサブセットを称する、アップリンク（ＵＬ）割当における非周期的な要求を求めてポーリングすることと、をさらに備える、［Ｃ３５］に記載の方法。
［Ｃ３８］
前記アップリンク（ＵＬ）割当における追加の情報が、前記非周期的な要求を動的にポーリングすることに関する情報を提供するために適用されるか、または、ラジオ・リソース制御シグナリングが、デフォルト動作を設定する、［Ｃ３７］に記載の方法。
［Ｃ３９］
無線通信装置であって、
ダウンリンク（ＤＬ）キャリアの送信モードを分析して、グループ化されうるキャリアを識別し、
おのおののグループのためのチャネル品質インジケータ（ＣＱＩ）フィードバックのための設定パラメータと、それぞれのグループに属するキャリアとを伝送し、
おのおののグループからのキャリアのＣＱＩフィードバックにわたって循環し、
対応するダウンリンク（ＤＬ）キャリアに関連付けられた送信モードに少なくとも部分的に基づいて、チャネル品質インジケータ（ＣＱＩ）フィードバックをグループ化し、
ランク  ・インジケータ衝突、同じキャリアにおける広帯域チャネル品質インジケータ・フィードバック、またはサブ帯域チャネル品質インジケータ（ＣＱＩ）フィードバックに少なくとも部分的に基づいて、チャネル品質インジケータ（ＣＱＩ）フィードバックをやめる、
ように構成されたプロセッサを備える、無線通信装置。
［Ｃ４０］
マルチキャリア・システムのためにチャネル品質インジケータ（ＣＱＩ）フィードバックの配信を有効にする無線通信装置であって、
ダウンリンク（ＤＬ）キャリアの送信モードを分析し、グループ化されうるキャリアを識別する手段と、
おのおののグループのためのＣＱＩフィードバックのための設定パラメータと、それぞれのグループに属するキャリアとを伝送する手段と、
おのおののグループからのキャリアのＣＱＩフィードバックにわたって循環する手段と、
対応するダウンリンク（ＤＬ）キャリアに関連付けられた送信モードに少なくとも部分的に基づいて、チャネル品質インジケータ（ＣＱＩ）フィードバックをグループ化する手段と、
ランク・インジケータ衝突、同じキャリアにおける広帯域チャネル品質インジケータ・フィードバック、またはサブ帯域チャネル品質インジケータ（ＣＱＩ）フィードバックに少なくとも部分的に基づいて、チャネル品質インジケータ（ＣＱＩ）フィードバックをやめる手段と、
を備える無線通信装置。
【外国語明細書】
2014039283000001.pdf